(57)【要約】【課題】  ＵＨＦ帯のテレビジョン信号を受信するときのイメージ妨害を改善する。【解決手段】  直列接続された二つのバラクタダイオード２２ｂ、２２ｃを有すると共に二つのバラクタダイオード２２ｂ、２２ｃの接続点を出力端２２ｇとする同調回路２２と、同調回路２２の入力端２２ｆに一端が接続され、他端がテレビジョン信号の入力端２０に結合された結合用のインダクタンス素子２３とを備え、一方のバラクタダイオード２２ｂを同調回路２２の入力端２２ｆに結合すると共に、他方のバラクタダイオード２２ｃを出力端２２ｇとグランドとの間に介挿し、二つのバラクタダイオード２２ｂ、２２ｃの接続点とインダクタンス素子２３の他端との間に第１の容量素子２４を接続した。【選択図】        図１
0003103017.tif 000002
【実用新案登録請求の範囲】
【請求項１】
直列接続された二つのバラクタダイオードを有すると共に前記二つのバラクタダイオードの接続点を出力端とする同調回路と、前記同調回路の入力端に一端が接続され、他端がテレビジョン信号の入力端に結合された結合用のインダクタンス素子とを備え、一方の前記バラクタダイオードを前記同調回路の入力端に結合すると共に、他方の前記バラクタダイオードを前記出力端とグランドとの間に介挿し、前記二つのバラクタダイオードの接続点と前記インダクタンス素子の他端との間に第１の容量素子を接続したことを特徴とするテレビジョンチューナ。
【請求項２】
前記他方のバラクタダイオードとグランドとの間に第２の容量素子を介挿し、前記他方のバラクタダイオードと前記第２の容量素子との接続点と前記インダクタンス素子の他端との間に第３の容量素子を接続したことを特徴とする請求項１に記載のテレビジョンチューナ。
【請求項３】
前記同調回路は一端が前記入力端に接続されると共に、他端が接地された同調用インダクタンス素子を有し、前記二つのバラクタダイオードをカソード同士で相互接続し、前記一方のバラクタダイオードのアノードを前記入力端に接続し、前記他方のバラクタダイオードのアノードを抵抗を介してグランドに接続したことを特徴とする請求項２に記載のテレビジョンチューナ。
【考案の詳細な説明】
【技術分野】
【０００１】
本考案は、テレビジョンチューナに関し、特にＵＨＦ帯のテレビジョン信号受信時におけるイメージ妨害を改善したテレビジョンチューナに関する。
【背景技術】
【０００２】
図５は従来のテレビジョンチューナの構成を示す。図５において、ＶＨＦ帯乃至ＵＨＦ帯のテレビジョン信号は、ＦＭ放送信号等の不要な信号を除去するトラップ回路１を介してＶＨＦ入力同調回路２及びＵＨＦ入力同調回路３に入力される。
【０００３】
ＶＨＦ入力同調回路２は、アノードが接地された同調用バラクタダイオード２ａと、そのカソードに順次高周波的に直列に接続され、同調用バラクタダイオード２ａに対して高周波的に並列接続されるハイバンドコイル２ｂ、ローバンドコイル２ｃ、ローバンドコイル２ｄ、ハイバンドコイル２ｅと、二つのローバンドコイル２ｃ、２ｄに跨って高周波的に並列に接続されたスイッチダイオード２ｆとを有する。低電位側のハイバンドコイル２ｅは直流カットコンデンサ２ｇによって高周波的に接地される。そして、二つのローバンドコイル２ｃ、２ｄの接続点にテレビジョン信号が入力され、同調用バラクタダイオード２ａのカソードとハイバンドコイル２ｂとの接続点がＶＨＦ入力同調回路２の出力端となる。
【０００４】
また、ハイバンドコイル２ｅと直流カットコンデンサ２ｇとの接続点は抵抗２ｈによって接地され、且つ、電源端子Ｂに接続される。従って、バイアス電圧がスイッチダイオード２ｆのアノードに印加される。さらに、スイッチダイオード２ｆのカソードにはバンド切替端子Ｓｗからハイレベル（５ボルト）又はローレベル（０ボルト）の切替電圧が印加される。同調用バラクタダイオード２ａのカソードは同調電圧端子Ｔｕから同調電圧が印加される。
【０００５】
ＶＨＦ入力同調回路２の次段にはＶＨＦ高周波増幅器４が設けられ、ＶＨＦ入力同調回路２とＶＨＦ高周波増幅器４とは結合用バラクタダイオード５によって結合される。ＶＨＦ高周波増幅器４の次段にはＶＨＦ段間同調回路１０が設けられる。
また、二つのローバンドコイル２ｃ、２ｄの接続点と結合用バラクタダイオード５のアノードとの間にはコンデンサ８が接続され、スイッチダイオード２ｆのカソードと結合用バラクタダイオード５のアノードとの間にコンデンサ９が接続される。コンデンサ８はハイバンドコイル２ｂ、ローバンドコイル２ｃ、結合用バラクタダイオード５と共にイメージ周波数帯を減衰するためのものである。
【０００６】
ＵＨＦ入力同調回路３は、一端が直流カットコンデンサ３ｆによって接地されたコイル３ａと、カソード同士が互いに接続された同特性の二つの同調用バラクタダイオード３ｂ、３ｃとを有し、一方の同調用バラクタダイオード３ｂのアノードがコイル３ａの他端に接続され、この接続点がローバンドコイル２ｃ、２ｄの接続点に接続されると共に、トラップ回路１に結合される。また、他方の同調用バラクタダイオード３ｃのアノードが同調周波数補正用コンデンサ３ｄと抵抗３ｅによってコイル３ａと直流カットコンデンサ３ｆとの接続点に接続される。
【０００７】
そして、二つの同調用バラクタダイオード３ｂ、３ｃのカソードが同調端子Ｔｕに接続されると共に、直流カットコンデンサ１１によってＵＨＦ高周波増幅器１２に接続される。ＵＨＦ高周波増幅器１２の次段にはＵＨＦ段間同調回路１３が設けられる。
【０００８】
以上の構成において、ＶＨＦ帯のテレビジョン信号を受信する場合には、ＶＨＦ高周波増幅器４が動作状態、ＵＨＦ高周波増幅器１２が非動作状態となり、ＵＨＦ帯のテレビジョン信号を受信する場合には、ＵＨＦ高周波増幅器１２が動作状態、ＶＨＦ高周波増幅器４が非動作状態となるように切り替えられる。
そして、ＶＨＦ帯のハイバンドのテレビジョン信号を受信する場合は、スイッチダイオード２ｆがオンとなって、ＶＨＦ入力同調回路２はハイバンドに同調し、
ＶＨＦ帯のローバンドのテレビジョン信号を受信する場合は、スイッチダイオード２ｆがオフとなって、ＶＨＦ入力同調回路２はローバンドに同調する。
そして、同調周波数は、同調用バラクタダイオード２ａに印加される同調電圧によって変えられる。
【０００９】
また、ＵＨＦ入力同調回路３は、二つの同調用バラクタダイオード３ｂ、３ｃのアノードにもＶＨＦ入力同調回路からバイアス電圧Ｖが印加されるので、同調周波数の範囲が広がるようになっている。さらに、同調周波数補正用コンデンサ３ｄによって局部発振周波数とのトラッキングが得られるようになている（例えば、特許文献１参照。）。
【００１０】
【特許文献１】特開２００３−１３４４１０（図１）
【考案の開示】
【考案が解決しようとする課題】
【００１１】
上記の構成では、ＶＨＦ入力同調回路にイメージ周波数帯を減衰するコンデンサが設けられているが、ＵＨＦ入力同調回路のはそのようなコンデンサが設けられていないので、ＵＨＦ帯のテレビジョン信号を受信するときのイメージ妨害比が６０ｄＢ以下と悪い値であった。
【００１２】
本考案は、ＵＨＦ帯のテレビジョン信号を受信するときのイメージ妨害を改善することを目的とする。
【課題を解決するための手段】
【００１３】
上記課題を解決するため、直列接続された二つのバラクタダイオードを有すると共に前記二つのバラクタダイオードの接続点を出力端とする同調回路と、前記同調回路の入力端に一端が接続され、他端がテレビジョン信号の入力端に結合された結合用のインダクタンス素子とを備え、一方の前記バラクタダイオードを前記同調回路の入力端に結合すると共に、他方の前記バラクタダイオードを前記出力端とグランドとの間に介挿し、前記二つのバラクタダイオードの接続点と前記インダクタンス素子の他端との間に第１の容量素子を接続した。
【００１４】
また、前記他方のバラクタダイオードとグランドとの間に第２の容量素子を介挿し、前記他方のバラクタダイオードと前記第２の容量素子との接続点と前記インダクタンス素子の他端との間に第３の容量素子を接続した。
【００１５】
また、前記同調回路は一端が前記入力端に接続されると共に、他端が接地された同調用インダクタンス素子を有し、前記二つのバラクタダイオードをカソード同士で相互接続し、前記一方のバラクタダイオードのアノードを前記入力端に接続し、前記他方のバラクタダイオードのアノードを抵抗を介してグランドに接続した。
【考案の効果】
【００１６】
請求項１の考案によれば、一方のバラクタダイオードを同調回路の入力端に結合すると共に、他方のバラクタダイオードを出力端とグランドとの間に介挿し、二つのバラクタダイオードの接続点とインダクタンス素子の他端との間に第１の容量素子を接続したので、受信周波数に対するイメージ周波数の位置を減衰してイメージ妨害比を改善できる。
【００１７】
また、請求項２の考案によれば、他方のバラクタダイオードとグランドとの間に第２の容量素子を介挿し、他方のバラクタダイオードと第２の容量素子との接続点とインダクタンス素子の他端との間に第３の容量素子を接続したので、受信周波数に対するイメージ周波数の位置が更に減衰してイメージ妨害比を一層改善できる。
【００１８】
また、請求項３の考案によれば、同調回路は一端が入力端に接続されると共に、他端が接地された同調用インダクタンス素子を有し、二つのバラクタダイオードをカソード同士で相互接続し、一方のバラクタダイオードのアノードを入力端に接続し、他方のバラクタダイオードのアノードを抵抗を介してグランドに接続したので、同調電圧によって二つのバラクタダイオードの容量値を同時に変化できる。
【考案を実施するための最良の形態】
【００１９】
本考案のテレビジョンチューナの構成を図１に示す。図１において、テレビジョン信号の入力端２０に入力されたＶＨＦ帯乃至ＵＨＦ帯のテレビジョン信号は、ＦＭ放送信号等の不要な信号を除去するトラップ回路１を介してＶＨＦ入力同調回路２とＵＨＦ入力同調回路２２とに入力される。
【００２０】
ＶＨＦ入力同調回路２は、図５に示す従来の構成と同じであり、アノードが接地された同調用バラクタダイオード２ａと、そのカソードに順次高周波的に直列に接続され、同調用バラクタダイオード２ａに対して高周波的に並列接続されるハイバンドコイル２ｂ、ローバンドコイル２ｃ、ローバンドコイル２ｄ、ハイバンドコイル２ｅと、二つのローバンドコイル２ｃ、２ｄに跨って高周波的に並列に接続されたスイッチダイオード２ｆとを有する。低電位側のハイバンドコイル２ｅは直流カットコンデンサ２ｇによって高周波的に接地される。そして、二つのローバンドコイル２ｃ、２ｄの接続点が入力端となり、この入力端がトラップ回路１に接続される。また、同調用バラクタダイオード２ａのカソードとハイバンドコイル２ｂとの接続点がＶＨＦ入力同調回路２の出力端となる。
【００２１】
また、ハイバンドコイル２ｅと直流カットコンデンサ２ｇとの接続点は抵抗２ｈによって接地され、且つ、電源端子Ｂに接続される。従って、バイアス電圧がスイッチダイオード２ｆのアノードに印加される。さらに、スイッチダイオード２ｆのカソードにはバンド切替端子Ｓｗからハイレベル（５ボルト）又はローレベル（０ボルト）の切替電圧が印加される。同調用バラクタダイオード２ａのカソードは同調電圧端子Ｔｕから同調電圧が印加される。
【００２２】
ＶＨＦ入力同調回路２の次段にはＶＨＦ高周波増幅器４が設けられ、ＶＨＦ入力同調回路２とＶＨＦ高周波増幅器４とは結合用バラクタダイオード５によって結合される。ＶＨＦ高周波増幅器４の次段にはＶＨＦ段間同調回路１０が設けられる。
また、二つのローバンドコイル２ｃ、２ｄの接続点（入力端）と結合用バラクタダイオード５のアノードとの間にはコンデンサ８が接続され、スイッチダイオード２ｆのカソードと結合用バラクタダイオード５のアノードとの間にコンデンサ９が接続される。コンデンサ８はハイバンドコイル２ｂ、ローバンドコイル２ｃ、結合用バラクタダイオード５と共にイメージ周波数帯を減衰するためのものである。
【００２３】
ＵＨＦ入力同調回路２２は、その入力端２２ｆに一端が接続され、他端が接地された同調用のインダクタンス素子２２ａと、カソード同士が互いに接続された同特性の二つの同調用のバラクタダイオード２２ｂ、２２ｃとを有し、一方のバラクタダイオード２２ｂのアノードが入力端２２ｆに接続される。他方のバラクタダイオード２２ｃのアノードは同調周波数補正用の第２の容量素子２２ｄを介して接地されると共に、バイアス用の抵抗２２ｅを介して接地される。よって、二つのバラクタダイオード２２ｂ、２２ｃの各アノードは直流的に接地される。そして二つのバラクタダイオード２２ｂと２２ｃとの接続点（カソード）が出力端２２ｇに接続される。
【００２４】
上記のＵＨＦ入力同調回路２２はスイッチダイオード２１と結合用のインダクタンス素子２３を介してトラップ回路１に結合される。すなわち、スイッチダイオード２１のアノードはトラップ回路１に接続され、スイッチダイオード２１のカソードと入力端２２ｆとの間に上記のインダクタンス素子２３が結合される。なお、スイッチダイオード２１のカソードはＵＨＦ／ＶＨＦ切替端子Ｕ／ＶＳｗに接続される。
【００２５】
そして、出力端２２ｇである二つの同調用バラクタダイオード２２ｂ、２２ｃのカソードが同調端子Ｔｕに接続されるので二つのバラクタダイオード２２ｂ、２２ｃは同調電圧の値によって容量値が変化する。また、この出力端２２ｇは直流カットコンデンサ１１によってＵＨＦ高周波増幅器１２に接続される。ＵＨＦ高周波増幅器１２の次段にはＵＨＦ段間同調回路１３が設けられる。
【００２６】
ここで、出力端２２ｇと結合用のインダクタンス素子２３の他端、すなわち、スイッチダイオード２１との接続点との間に第１の容量素子２４が接続され、他方のバラクタダイオード２２ｃのアノード、ずなわち、第２の容量素子２２ｄ及び抵抗２２ｅとの接続点とインダクタンス素子２３の他端との間に第３の容量素子２５が接続される。
【００２７】
以上の構成において、ＶＨＦ帯のテレビジョン信号を受信する場合には、ＶＨＦ高周波増幅器４が動作状態、スイッチダイオード２１がオフ、ＵＨＦ高周波増幅器１２が非動作状態となり、ＵＨＦ帯のテレビジョン信号を受信する場合には、ＵＨＦ高周波増幅器１２が動作状態、スイッチダイオード２１がオン、ＶＨＦ高周波増幅器４が非動作状態となるように切り替えられる。
そして、ＶＨＦ帯のハイバンドのテレビジョン信号を受信する場合は、スイッチダイオード２ｆがオンとなって、ＶＨＦ入力同調回路２はハイバンドに同調し、ＶＨＦ帯のローバンドのテレビジョン信号を受信する場合は、スイッチダイオード２ｆがオフとなって、ＶＨＦ入力同調回路２はローバンドに同調する。
そして、同調周波数は、同調用バラクタダイオード２ａに印加される同調電圧によって変えられるが、コンデンサ８によってイメージ周波数も減衰することからイメージ妨害比が改善される。
【００２８】
また、ＵＨＦ帯のテレビジョン信号を受信する場合にはスイッチダイオード２１がオンとなってテレビジョン信号がＵＨＦ入力同調回路２２に入力される。そして、ＵＨＦ入力同調回路２２もバラクタダイオード２２ｂ、２２ｃに印加される同調電圧よって受信すべき所望のチャンネル周波数に同調する。
【００２９】
図２及び図３はＵＨＦ入力同調回路２２の出力端２２ｇにおける伝送特性図であり、３６７ＭＨｚから８６５ＭＨｚまでの間の６ヶ所の周波数（図４の横軸の周波数を参照）に同調した場合について示している。伝送特性を示す各カーブのポイント１は受信チャンネルの周波数の位置、ポイント２は受信チャンネルの周波数に対するイメージ周波数（各ポイント１よりも中間周波数の２倍高い周波数）の位置、ポイント３は伝送特性における最大減衰点を与える周波数の位置である。この最大減衰点のポイント３は受信チャンネルの周波数（ポイント１）の位置に対応して変化している。
【００３０】
図２は図１における第３の容量素子２５を削除して第１の容量素子２４のみを用いた場合の伝送特性を示しており、最大減衰点のポイント３は、基本的にはインダクタンス素子２３とそれに直列接続されているバラクタダイオード２２ｂとそれらに並列接続されている第１の容量素子２４とによる並列共振によって生じる。このポイント３はイメージ周波数のポイント２よりも高い方に位置しているが、このポイント３の存在によってポイント２に位置で減衰することから、イメージ妨害比は図４のＡに示すように６０ｂＢ以上確保することができる。
【００３１】
また、図３は第１の容量素子２４と共に第３の容量素子２５も用いた場合の伝送特性を示している。この場合は、直列接続されたインダクタンス素子２３及びバラクタダイオード２２ｂに対して、さらに、直列接続されたバラクタダイオード及び第３の容量素子２５が並列接続されるので、並列共振の周波数が大きく変化し、最大減衰点のポイント３の位置がイメージ周波数のポイント２に近づき、ポイント２の位置での減衰が大きくなる。従って、イメージ妨害比は図４のＢに示すように更に改善される。
【図面の簡単な説明】
【００３２】
【図１】本考案のテレビジョンチューナの構成を示す回路図である。
【図２】本考案のテレビジョンチューナの伝送特性図である。
【図３】本考案のテレビジョンチューナの伝送特性図である。
【図４】本考案のテレビジョンチューナのイメージ妨害特性図である。
【図５】従来のテレビジョンチューナの構成を示す回路図である。
【符号の説明】
【００３３】
１：トラップ回路
２：ＶＨＦ入力同調回路
４：ＶＨＦ高周波増幅器
５：結合用バラクタダイオード
８、９：コンデンサ
１０：ＶＨＦ段間同調回路
１１：直流カットコンデンサ
１２：ＵＨＦ高周波増幅器
１３：ＵＨＦ段間同調回路
２１：スイッチダイオード
２２：ＵＨＦ入力同調回路
２２ａ：インダクタンス素子（同調用）
２２ｂ、２２ｃ：バラクタダイオード
２２ｄ：第２の容量素子
２２ｅ：抵抗（バイアス用）
２２ｆ：入力端
２２ｇ：出力端
２３：インダクタンス素子（結合用）
２４：第１の容量素子
２５：第３の容量素子
【図１】
0003103017.tif 000003
【図２】
0003103017.tif 000004
【図３】
0003103017.tif 000005
【図４】
0003103017.tif 000006
【図５】
0003103017.tif 000007